(57)【特許請求の範囲】
【請求項１】
第１コンテンツデータへのアクセスを許可する第１簡易認証データを第１識別認証データと、第２コンテンツデータへのアクセスを許可する第２簡易認証データを第２識別認証データとそれぞれ対応づけて記録する認証データ書込部と、
前記第１識別認証データと前記第２識別認証データとが一致するか否かを比較する識別認証データ比較部と、
前記識別認証データ比較部が、前記第１識別認証データと前記第２識別認証データとが一致すると判断した場合に、前記第１簡易認証データの入力により、前記第２コンテンツデータへのアクセスを許可するアクセス許可部と
を備えることを特徴とする認証システム。
【請求項２】
前記第１識別認証データ及び前記第２識別認証データは、前記第１簡易認証データ及び前記第２簡易認証データよりも情報量が大きく、識別能力が大きいことを特徴とする請求項１に記載の認証システム。
【請求項３】
前記認証データ書込部は、前記識別認証データ比較部が前記第１識別認証データと前記第２識別認証データとが一致すると判断した場合に、前記第２簡易認証データを前記第１識別認証データに対応づけて記録することを特徴とする請求項１又は２に記載の認証システム。
【請求項４】
前記認証データ書込部は、前記第２簡易認証データを前記第１識別認証データに対応づけて記録した場合に、前記第２識別認証データを削除することを特徴とする請求項３に記載の認証システム。
【請求項５】
前記アクセス許可部は、前記第１簡易認証データの入力により、前記第１識別認証データに対応づけられた前記第２簡易認証データによりアクセスが許可される前記第２コンテンツデータへのアクセスを許可することを特徴とする請求項３に記載の認証システム。
【請求項６】
前記アクセス許可部は、前記識別認証データ比較部が、前記第１識別認証データと前記第２識別認証データとが一致すると判断した場合に、前記第１簡易認証データに前記第２コンテンツデータへのアクセスを許可するアクセス権を付与することを特徴とする請求項１に記載の認証システム。
【請求項７】
前記認証データ書込部は、前記アクセス許可部が前記第１簡易認証データに前記アクセス権を付与した場合に、前記第２簡易認証データを削除することを特徴とする請求項６に記載の認証システム。
【請求項８】
前記認証データ書込部が前記第２簡易認証データを削除したことをユーザに通知する簡易認証データ情報通知部をさらに備えることを特徴とする請求項６に記載の認証システム。
【請求項９】
前記第１コンテンツデータ及び前記第２コンテンツデータをそれぞれ記録するコンテンツデータ書込部をさらに備え、
前記コンテンツデータ書込部は、前記認証データ比較部が、前記第１識別認証データと前記第２識別認証データとが一致すると判断した場合に、前記第２コンテンツデータを前記第１コンテンツデータに対応づけて記録することを特徴とする請求項１に記載の認証システム。
【請求項１０】
前記認証データ比較部が、前記第１識別認証データと前記第２識別認証データとが一致すると判断した場合に、前記第１簡易認証データの入力により、前記第１コンテンツデータ及び前記第２コンテンツデータを並べて表示する表示部をさらに備えることを特徴とする請求項１に記載の認証システム。
【請求項１１】
前記第１簡易認証データと前記第２簡易認証データとが一致するか否かを比較する簡易認証データ比較部をさらに備え、
前記識別認証データ比較部は、前記簡易認証データ比較部が、前記第１簡易認証データと前記第２簡易認証データとが所定の範囲内で一致すると判断した場合に、前記第１識別認証データと前記第２識別認証データとを比較することを特徴とする請求項１に記載の認証システム。
【請求項１２】
前記識別認証データを簡略化する識別認証データ簡略化部と、
前記識別認証データ簡略化部により簡略化された前記識別認証データを前記簡易認証データとして取得する簡易認証データ取得部と
をさらに備えることを特徴とする請求項１に記載の認証システム。
【請求項１３】
被写体を撮像する入力部、及び前記被写体の画像データを保持する被写体画像データ保持部を有する撮像装置と、
前記撮像装置から前記被写体の前記画像データを第１被写体画像データとして取得する画像データ取得部と、
前記画像データ取得部が取得した前記第１被写体画像データ及び他の被写体画像データをそれぞれ記録する画像データ記憶部と、
前記画像データ記憶部に記録された前記第１被写体画像データへのアクセスを許可する第１簡易認証データを第１識別認証データと、前記他の被写体画像データへのアクセスを許可する第２簡易認証データを第２識別認証データとそれぞれ対応づけて記録する認証データ記録部と、
前記第１識別認証データと前記第２識別認証データとが一致するか否かを比較する識別認証データ比較部と、
前記識別認証データ比較部が、前記第１識別認証データと前記第２識別認証データとが一致すると判断した場合に、前記第１簡易認証データの入力により、前記他の被写体画像データへのアクセスを許可するアクセス許可部と
を備えることを特徴とする画像管理システム。
【請求項１４】
前記撮像装置は、前記入力部に撮像させたユーザのユーザ画像データを保持するユーザ画像データ保持部を有し、
前記画像管理システムは、前記撮像装置から前記ユーザ画像データを前記第１識別認証データとして取得する識別認証データ取得部を有することを特徴とする請求項１３に記載の画像管理システム。
【請求項１５】
前記第１簡易認証データの入力により、アクセスが許可された前記第１被写体画像データ及び前記他の被写体画像データを前記画像データ記憶部から読み出す読出部と、
前記読出部に読み出された前記第１被写体画像データ及び前記他の被写体画像データの出力指示を受け付ける出力指示受付部と、
前記出力指示受付部が受け付けた前記第１被写体画像データ及び前記他の被写体画像データを出力する出力部と
をさらに備えることを特徴とする請求項１３に記載の画像管理システム。
【請求項１６】
データ書込部が、第１コンテンツデータへのアクセスを許可する第１簡易認証データを第１識別認証データと、第２コンテンツデータへのアクセスを許可する第２簡易認証データを第２識別認証データとそれぞれ対応づけて認証データ記録部に記録する認証データ記録ステップと、
識別認証データ比較部が、前記第１識別認証データと前記第２識別認証データとが一致するか否かを比較する識別認証データ比較ステップと、
アクセス許可部が、前記第１識別認証データと前記第２識別認証データとが一致すると判断された場合に、前記第１簡易認証データに前記第２コンテンツデータへのアクセスを許可するアクセス権を付与するアクセス権付与ステップと
を備えることを特徴とする認証方法。
【請求項１７】
ユーザ情報入力部が、前記第１簡易認証データを入力する入力ステップと、
アクセス許可部が、前記第１簡易認証データの入力により、前記第１簡易認証データがアクセス権を有する前記第２コンテンツデータへのアクセスを許可するアクセス許可ステップと
をさらに備えることを特徴とする請求項１６に記載の認証方法。
【発明の詳細な説明】
【０００１】
【発明の属する技術分野】
本発明は、認証システム、画像管理システム及び認証方法に関する。特に本発明は、画像データへのアクセスを許可する簡易認証データを、識別認証データに対応づけて記録することにより、複数の簡易認証データによりそれぞれアクセスが許可される複数の画像データへのアクセスを、一の簡易認証データにより可能とする認証システム、画像管理システム及び認証方法に関する。
【０００２】
【従来の技術】
デジタルカメラで撮像した被写体の画像データを、写真店等の取次店を介して画像サーバに転送し、必要に応じて画像データを、例えば写真プリントとして印刷する注文を行うサービスが知られている。ユーザは画像データを取次店に預ける際に、取次店からその画像データの所有者であることを示す預り証又は引換券を受け取る。預り証として、例えば会員カードのようなＩＤカードを用いると、ユーザは、最初にＩＤカードを作成するだけで、次回から例えばユーザの氏名等のユーザ情報をいちいち記入する必要がないので便利である。
【０００３】
【発明が解決しようとする課題】
しかし、一度ＩＤカードを作成しても、別の画像データを取次店に預けるときにそのＩＤカードを持っていないと、再度ＩＤカードを作成する必要がある。このような場合、ユーザは複数のＩＤカードを所有することになり、不便である。また、各ＩＤカードは、そのＩＤカードを用いて画像データを預けた場合の画像データにしかアクセスできないので、同じユーザの所有する画像データであっても、同時にアクセスすることができないという問題があった。
【０００４】
そこで本発明は、上記の課題を解決することのできる認証システム、画像管理システム及び認証方法を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、第１コンテンツデータへのアクセスを許可する第１簡易認証データを第１識別認証データと、第２コンテンツデータへのアクセスを許可する第２簡易認証データを第２識別認証データとそれぞれ対応づけて記録する認証データ書込部と、第１識別認証データと第２識別認証データとが一致するか否かを比較する識別認証データ比較部と、識別認証データ比較部が、第１識別認証データと第２識別認証データとが一致すると判断した場合に、第１簡易認証データの入力により、第２コンテンツデータへのアクセスを許可するアクセス許可部とを備えることを特徴とする認証システムを提供する。
【０００６】
第１識別認証データ及び第２識別認証データは、第１簡易認証データ及び第２簡易認証データよりも情報量が大きく、識別能力が大きいのが好ましい。
認証データ書込部は、識別認証データ比較部が第１識別認証データと第２識別認証データとが一致すると判断した場合に、第２簡易認証データを第１識別認証データに対応づけて記録してよい。認証データ書込部は、第２簡易認証データを第１識別認証データに対応づけて記録した場合に、第２識別認証データを削除してよい。
【０００７】
アクセス許可部は、第１簡易認証データの入力により、第１識別認証データに対応づけられた第２簡易認証データによりアクセスが許可される第２コンテンツデータへのアクセスを許可してよい。
アクセス許可部は、識別認証データ比較部が、第１識別認証データと第２識別認証データとが一致すると判断した場合に、第１簡易認証データに第２コンテンツデータへのアクセスを許可するアクセス権を付与してよい。
【０００８】
認証データ書込部は、アクセス許可部が第１簡易認証データにアクセス権を付与した場合に、第２簡易認証データを削除してよい。
認証システムは、認証データ書込部が第２簡易認証データを削除したことをユーザに通知する簡易認証データ情報通知部をさらに備えてもよい。
認証システムは、第１コンテンツデータ及び第２コンテンツデータをそれぞれ記録するコンテンツデータ書込部をさらに備えてもよく、コンテンツデータ書込部は、認証データ比較部が、第１識別認証データと第２識別認証データとが一致すると判断した場合に、第２コンテンツデータを第１コンテンツデータに対応づけて記録してよい。
【０００９】
認証システムは、認証データ比較部が、第１識別認証データと第２識別認証データとが一致すると判断した場合に、第１簡易認証データの入力により、第１コンテンツデータ及び第２コンテンツデータを並べて表示する表示部をさらに備えてもよい。
【００１０】
認証システムは、第１簡易認証データと第２簡易認証データとが一致するか否かを比較する簡易認証データ比較部をさらに備えてもよく、識別認証データ比較部は、簡易認証データ比較部が、第１簡易認証データと第２簡易認証データとが所定の範囲内で一致すると判断した場合に、第１識別認証データと第２識別認証データとを比較してよい。
【００１１】
認証システムは、識別認証データを簡略化する識別認証データ簡略化部と、識別認証データ簡略化部により簡略化された識別認証データを簡易認証データとして取得する簡易認証データ取得部とをさらに備えてもよい。
【００１２】
本発明の第２の形態によると、被写体を撮像する入力部、及び被写体の画像データを保持する被写体画像データ保持部を有する撮像装置と、撮像装置から被写体の画像データを第１被写体画像データとして取得する画像データ取得部と、画像データ取得部が取得した第１被写体画像データ及び他の被写体画像データをそれぞれ記録する画像データ記憶部と、画像データ記憶部に記録された第１被写体画像データへのアクセスを許可する第１簡易認証データを第１識別認証データと、他の被写体画像データへのアクセスを許可する第２簡易認証データを第２識別認証データとそれぞれ対応づけて記録する認証データ記録部と、第１識別認証データと第２識別認証データとが一致するか否かを比較する識別認証データ比較部と、識別認証データ比較部が、第１識別認証データと第２識別認証データとが一致すると判断した場合に、第１簡易認証データの入力により、他の被写体画像データへのアクセスを許可するアクセス許可部とを備えることを特徴とする画像管理システムを提供する。
【００１３】
撮像装置は、入力部に撮像させたユーザのユーザ画像データを保持するユーザ画像データ保持部を有してもよく、画像管理システムは、撮像装置からユーザ画像データを第１識別認証データとして取得する識別認証データ取得部を有してもよい。
【００１４】
画像管理システムは、第１簡易認証データの入力により、アクセスが許可された第１被写体画像データ及び他の被写体画像データを画像データ記憶部から読み出す読出部と、読出部に読み出された第１被写体画像データ及び他の被写体画像データの出力指示を受け付ける出力指示受付部と、出力指示受付部が受け付けた第１被写体画像データ及び他の被写体画像データを出力する出力部とをさらに備えてもよい。
【００１５】
本発明の第３の形態によると、第１コンテンツデータへのアクセスを許可する第１簡易認証データを第１識別認証データと、第２コンテンツデータへのアクセスを許可する第２簡易認証データを第２識別認証データとそれぞれ対応づけて記録する認証データ記録ステップと、第１識別認証データと第２識別認証データとが一致するか否かを比較する識別認証データ比較ステップと、第１識別認証データと第２識別認証データとが一致すると判断された場合に、第１簡易認証データに第２コンテンツデータへのアクセスを許可するアクセス権を付与するアクセス権付与ステップとを備えることを特徴とする認証方法を提供する。
【００１６】
認証方法は、第１簡易認証データを入力する入力ステップと、第１簡易認証データの入力により、第１簡易認証データがアクセス権を有する第２コンテンツデータへのアクセスを許可するアクセス許可ステップとをさらに備えてもよい。
なお上記の発明の概要は、本発明の必要な特徴の全てを列挙したものではなく、これらの特徴群のサブコンビネーションも又発明となりうる。
【００１７】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１８】
図１は、本発明の一実施形態に係る、画像管理システムを示す模式図である。本実施形態は、ユーザがデジタルカメラ等で撮影した被写体の画像データを認証データに対応づけて管理し、認証データの照合により、その画像データにアクセス可能とする画像管理システムに関する。
【００１９】
画像管理システム１０は、撮像装置２０と、データ取得部３０と、画像データ記憶部４０と、認証サーバ５０と、認証データ記録部７０と、ユーザ端末８０と、出力部９０とを有する。撮像装置２０は、被写体を撮像して、被写体の画像データを保持する。本実施形態において、撮像装置２０は、デジタルカメラである。
【００２０】
データ取得部３０は、写真店、コンビニエンスストア、スーパー等の店舗に設置されるのが好ましい。データ取得部３０は、被写体の画像データを撮像装置２０から取得する。データ取得部３０はさらに、撮像装置２０のユーザを識別する識別認証データと、画像データへのアクセスを許可するのに用いられる簡易認証データとを取得する。
【００２１】
識別認証データは、例えば、ユーザの顔、虹彩、眼底、指紋等の画像データ、ユーザの声紋等の音声データ、又はユーザの携帯電話の電話番号等である。識別認証データは、唯一無二のデータであって、ユーザを識別する識別能力の高いデータであるのが好ましい。簡易認証データは、例えば、ＩＤカード等のカード、ユーザの生年月日等である。簡易認証データは、照合が容易に行える簡単なデータであるのが好ましい。識別認証データは、簡易認証データよりも情報量が大きいのが好ましい。識別認証データがユーザの顔、虹彩、眼底、指紋等の画像データである場合、簡易認証データは識別認証データの一部を抽出したものであってよい。簡易認証データは、ユーザの顔の特徴部分を抽出してパラメータ化したものであってよい。例えば、識別認証データがユーザの顔の画像データである場合、簡易認証データは、ユーザの両眼の間の距離を示すデータであってもよい。
【００２２】
本実施形態において、識別認証データは、ユーザの顔の画像データである。本実施形態において、撮像装置２０は、ユーザの顔を撮像して、ユーザの顔の画像データを保持する。そして、データ取得部３０は、撮像装置２０から被写体の画像データと共にユーザの顔の画像データを識別認証データとして取得する。本実施形態において、簡易認証データは、ＩＤカードである。ＩＤカードは、各カードに特有の識別情報を含む磁気テープを有する。また、他の例において、データ取得部３０が設置された店舗に、ユーザの顔の画像データを取得する手段を設定してもよい。
【００２３】
画像データ記憶部４０は、データ取得部３０が取得した被写体の画像データを記憶する。認証サーバ５０は、データ取得部３０が取得した識別認証データと簡易認証データとを対応づけて認証データ記録部７０に記録する。ユーザ端末８０は、ユーザから簡易認証データの入力を受け付ける。認証サーバ５０は、ユーザ端末８０から入力された簡易認証データと、認証データ記録部７０に記録された簡易認証データとの照合を行う。出力部９０は、ユーザからの出力指示に基づいて、画像データを出力する。本実施形態において出力部９０は被写体の画像データを紙媒体に印刷するプリンタである。
【００２４】
ユーザ端末８０は、写真店、コンビニエンスストア、スーパー等の店舗に設置されるのが好ましい。ユーザ端末８０は、データ取得部３０と、同一装置により構成されてもよい。
【００２５】
本実施形態において、データ取得部３０、画像データ記憶部４０、認証サーバ５０、ユーザ端末８０及び出力部９０は、インターネット等のネットワーク９２を介して互いに接続される。認証データ記録部７０は、認証サーバ５０に専用回線又はＬＡＮ等のローカルネットワークで接続されるのが好ましい。他の例において、画像データ記憶部４０は、認証サーバ５０に専用回線又はＬＡＮ等のローカルネットワークで接続されてもよい。
【００２６】
本実施形態において、データ取得部３０、画像データ記憶部４０、認証サーバ５０、ユーザ端末８０及び出力部９０が、ネットワーク９２を介して互いに接続されているので、ユーザは、ある店舗にあるデータ取得部３０に被写体の画像データを取得させてＩＤカードを受け取り、他の店舗にあるユーザ端末８０からＩＤカードを用いて画像データ記憶部４０に記憶された画像データにアクセスすることができる。
【００２７】
図２は、図１のデータ取得部３０を詳細に示したブロック図である。
データ取得部３０は、画像データ取得部３２と、識別認証データ取得部３４と、簡易認証データ発行部３６とを有する。画像データ取得部３２は、撮像装置２０から被写体画像データを読み取り、ネットワークを経由して画像データ記憶部４０に記録する。識別認証データ取得部３４は、撮像装置２０からユーザの顔の画像データを識別認証データとして取得し、ネットワークを経由して認証サーバ５０に転送する。簡易認証データ発行部３６は、撮像装置２０から被写体画像データ及び識別認証データを取得する際に、識別情報を含むＩＤカードを発行する。簡易認証データ発行部３６は、ＩＤカードを発行すると共に、ＩＤカードに含まれる識別情報を簡易認証データとしてネットワークを介して認証サーバ５０に転送する。認証サーバ５０は、簡易認証データを識別認証データに対応づけて認証データ記録部７０に記録する。簡易認証データ発行部３６が発行したＩＤカードは、ユーザに渡される。
【００２８】
図３は、図１の認証サーバ５０及びユーザ端末８０を詳細に示したブロック図である。
認証サーバ５０とユーザ端末８０との間のデータのやり取りはネットワークを介して行われる。認証サーバ５０は、データ書込部５２と、識別認証データ比較部５４と、照合部５６と、アクセス許可部５８と、読出部６０とを有する。
【００２９】
本実施形態において、データ取得部３０は、撮像装置２０により撮像された第１画像データと、撮像装置２０とは異なる撮像装置により撮像された第２画像データを取得する。そして、画像データ記憶部４０は、第１画像データ及び第２画像データをそれぞれ記憶する。また、データ取得部３０は、第１画像データと共に、第１画像データへのアクセスを許可する第１簡易認証データと、撮像装置２０のユーザを識別する第１識別情報とを取得する。さらに、データ取得部３０は、第２画像データと共に、第２画像データへのアクセスを許可する第２簡易認証データと、第２画像データを撮像した撮像装置のユーザを識別する第２識別認証データとを取得する。
【００３０】
データ書込部５２は、ネットワークから第１識別認証データ及び第１簡易認証データと、第２識別認証データ及び第２簡易認証データを受け取る。そして、データ書込部５２は、第１簡易認証データを第１識別認証データと、第２簡易認証データを第２識別認証データとそれぞれ対応づけて認証データ記憶部７０に書き込む。
【００３１】
識別認証データ比較部５４は、認証データ記録部７０に書き込まれた第１識別認証データが、第２識別認証データと一致するか否かを比較する。識別認証データ比較部５４は、識別認証データの種類に応じて、識別認証データが一致するか否かの判断をするのが好ましい。例えば、識別認証データが携帯電話番号の場合、識別認証データ比較部５４は、第１識別認証データと第２識別認証データとがほぼ１００％同じ場合に第１識別認証データと第２識別認証データとが一致すると判断するのが好ましい。また、識別認証データがユーザの顔の画像データの場合、識別認証データ比較部５４は、第１識別認証データと第２識別認証データとが、例えば９０％以上同じ場合に第１識別認証データと第２識別認証データとが一致すると判断してもよい。
【００３２】
識別認証データ比較部５４が、第１識別認証データと第２識別認証データとが一致すると判断した場合、データ書込部５２は、第２簡易認証データを第１識別認証データに対応づけて認証データ記憶部７０に記録する。データ書込部５２は、第２簡易認証データを第１識別認証データに対応づけて記録した場合に、認証データ記録部７０から第２識別認証データを削除してもよい。
【００３３】
ユーザ端末８０は、ユーザ情報入力部８２と、出力指示受付部８４と、照合部５６とを有する。ユーザ情報入力部８２は、ユーザ情報を入力する。ユーザ情報は、実質的には簡易認証データと同一である。本実施形態において、ユーザ情報入力部８２は、ＩＤカードの識別情報を読み取る手段を含む。出力指示受付部８４は、被写体画像データの出力指示を受け付ける。表示部８６は、被写体画像データを表示する。
【００３４】
照合部５６は、ユーザ情報入力部８２に入力されたユーザ情報と、認証データ記録部７０に記録された簡易認証データとを照合する。アクセス許可部５８は、照合部５６により照合された簡易認証データに基づいて、画像データ記憶部４０に記録された画像データへのアクセスを許可する。本実施形態において、アクセス許可部５８は、識別認証データ比較部５４が、第１識別認証データと第２識別認証データとが一致すると判断した場合に、第１簡易認証データの入力により、第２画像データへのアクセスを許可する。読出部６０は、ユーザ情報の入力により、アクセスが許可された画像データを画像データ記憶部４０から読み出す。本実施形態において、読出部６０は、第１簡易認証データの入力により、アクセスが許可された第１被写体画像データ及び第２被写体画像データを画像データ記憶部４０から読み出す。そして、表示部８６は、読出部６０に読み出された第１被写体画像データ及び第２被写体画像データを並べて表示する。
【００３５】
出力指示受付部８４は、読出部６０に読み出された第１被写体画像データ及び第２被写体画像データの出力指示を受け付ける。出力部８６は、出力指示受付部８４が受け付けた第１被写体画像データ及び第２被写体画像データを出力する。本実施形態において、識別認証データ比較部５４により識別認証データが一致すると判断された場合、複数の簡易認証データによりアクセスが許可される複数の画像データへのアクセスを、一つの簡易認証データにより行うことができる。
【００３６】
図４は、認証データ記録部７０に記録された識別認証データ、簡易認証データ、及び簡易認証データによりアクセスが許可される被写体画像データ情報を示す模式図である。
【００３７】
図４（ａ）に示すように、認証データ記録部７０は、第１識別認証データを第１簡易認証データと、第２識別認証データを第２簡易認証データとそれぞれ対応づけて記憶する。第１簡易認証データは、第１被写体画像へのアクセス権を有し、第２簡易認証データは第２被写体画像へのアクセス権を有する。識別認証データ比較部５４は、第１識別認証データと第２識別認証データとを比較する。本実施形態において、第１識別認証データ及び第２識別認証データは、撮像装置のユーザの顔の画像データである。従って、例えば第１被写体画像データと第２被写体画像データが同じユーザにより取得された場合、第１識別認証データと第２識別認証データとは一致する。
【００３８】
図４（ｂ）に示すように、識別認証データ比較部５４が、第１識別認証データと第２識別認証データとが一致すると判断した場合、データ書込部５２は、第２簡易認証データを第１識別認証データに対応づけて記録し、第２識別認証データを削除する。例えば、ユーザ情報入力部８２から第１簡易認証データが入力された場合、アクセス許可部５８は、第１識別認証データに対応づけられた第２簡易認証データによりアクセスが許可される第２被写体画像データへのアクセスを許可してよい。
【００３９】
また、識別認証データ比較部５４は、第１識別認証データと第２識別認証データとの、例えば取得時期を比較する手段を有してもよく、識別認証データ比較部５４が第１識別認証データと第２識別認証データとが一致すると判断した場合、データ書込部５２は、取得時期が新しい方の識別認証データに他方の簡易認証データを対応づけて記録し、取得時期が古い方の識別認証データを削除してもよい。データ書込部５２が、取得時期が新しい方の識別認証データに他方の簡易認証データを対応づけて記録するので、例えば識別認証データがユーザの顔画像データである場合、全ての簡易認証データが、常に最も新しい識別認証データに対応づけて記録される。そのため、次に同じユーザの顔画像データが第３の識別認証データとして識別認証データ取得部３４により取得された場合に、識別認証データ比較部５４は、第３の識別認証データと、第１識別認証データ又は第２識別認証データとが一致するか否かを正確に判断することができる。
【００４０】
図４（ｃ）に示すように、アクセス許可部５８は、識別認証データ比較部５４が、第１識別認証データと第２識別認証データとが一致すると判断した場合に、第１簡易認証データに第２コンテンツデータへのアクセスを許可するアクセス権を付与するのが好ましい。データ書込部５２は、アクセス許可部５８が第１簡易認証データに第２被写体画像データへのアクセス権を付与した場合に、第２簡易認証データを削除してもよい。この場合、アクセス許可部５８は、データ書込部５２が第２簡易認証データを削除したことをユーザに通知する簡易認証データ情報通知手段を有するのが好ましい。アクセス許可部５８が、データ書込部５２が第２簡易認証データを削除したことをユーザに通知するので、ユーザは、第２簡易認証データが使用不可能になったことを知ることができる。また、ユーザは第１簡易認証データにより第２コンテンツデータにもアクセスできるので、複数の簡易認証データを管理する必要がなくなる。
【００４１】
図５は、図１の撮像装置２０を詳細に示したブロック図である。
撮像装置２０は、入力部１００と、制御部１０２と、被写体画像データ保持部１０４と、ユーザ画像データ保持部１０６と、操作部１０８と、表示部１１０とを有する。詳細な構造は図示していないが、撮像装置２０は、一般的なデジタルカメラの機能を有する。ここでは、本実施形態に特有の機能のみ説明する。
【００４２】
入力部１００は、被写体を撮像する。制御部１０２は、入力部１００が撮像した被写体の画像データを被写体画像データ保持部１０４に記録する。また、制御部１０２は、表示部１１０にユーザに自分の顔の写真を撮るようにお知らせを表示させる。ユーザが表示部１１０に表示されたお知らせに従って、入力部１００により自分の顔画像を撮像すると、制御部１０２は、ユーザ画像データ保持部１０６にユーザの顔画像データを記録する。
【００４３】
データ取得部３０の識別認証データ取得部３４は、撮像装置２０のユーザ画像データ保持部１０６からユーザの顔画像データを識別認証データとして取得する。本実施形態において、撮像装置２０がユーザ画像データ保持部１０６を有するので、データ取得部３０は、ユーザ画像データ保持部１０６からユーザの顔画像データを読み取るだけで識別認証データを取得することができる。
【００４４】
図６は、画像管理システム１０におけるデータ取得部３０の一実施例を示す斜視図である。
データ取得部３０は、操作部３１２と、ＬＣＤパネル３１４と、およびＬＣＤモニタ３１６と、ＩＤカード読取部３２４と、略凹状の収容部３３０とを有する。収容部３３０は、撮像装置２０を収容する。収容部３３０は、被写体画像データ及びユーザ画像データを撮像装置２０から取得する入力端子を有する。データ取得部３０は、メモリカード等の記憶媒体からデータを読み取り可能なスロット部を有してもよい。この場合、データ取得部３０は、メモリカード等の記憶媒体から被写体画像データ及びユーザ画像データを取得してもよい。
【００４５】
ＬＣＤパネル３１４は、たとえば小さな白黒ＬＣＤで、操作部３１２における操作状態等の情報を簡易的に表示する。ＬＣＤモニタ３１６は、たとえば４インチ程度の大きさのカラーＬＣＤで、撮像装置２０から取得したユーザ画像データ等を表示する。
【００４６】
撮像装置２０から取得された被写体画像データ及び識別認証データは、ネットワークに接続された接続線３２２を介して画像データ記憶部４０及び認証データ記録部７０に記録されてよい。
【００４７】
図７は、図１のデータ取得部３０の他の例を示すブロック図である。
データ取得部３０は、識別認証データを簡略化する識別認証データ簡略化部３８と、識別認証データ簡略化部３８により簡略化された識別認証データを簡易認証データとして取得する簡易認証データ取得部３９とをさらに有する。ここで、簡略化とは、識別認証データの一部や特徴部分を抽出したり、識別認証データを符号化したりすることをいう。識別認証データがユーザの顔の画像データである場合、識別認証データ簡略部３８は、ユーザの顔画像データから特徴部分である両眼の位置を検出し、その両眼の間の距離を算出してもよい。
【００４８】
図８は、図１の認証サーバ５０の他の例を示すブロック図である。
認証サーバ５０において、図３に示した認証サーバと同一の符号を付した構成要素は、同一の機能を有する。認証サーバ５０は、第１簡易認証データと第２簡易認証データとが一致するか否かを比較する簡易認証データ比較部６２をさらに有する。識別認証データ比較部５４は、簡易認証データ比較部６２が、第１簡易認証データと第２簡易認証データとが所定の範囲内で一致すると判断した場合に、第１識別認証データと第２識別認証データとを比較する。
【００４９】
本実施例において、認証サーバ５０は、簡易認証データ比較部６２を有し、識別認証データ比較部５４は、簡易認証データ比較部６２による簡易認証データの一致度に応じて識別認証データが一致する確率が高い場合にのみ識別認証データを比較することができる。そのため識別認証データの比較を迅速に行うことができる。
【００５０】
以上、本発明を実施の形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００５１】
【発明の効果】
上記説明から明らかなように、本発明によれば複数の簡易認証データによりアクセスが許可される複数の画像データへのアクセスを、一つの簡易認証データにより行うことができる。
【図面の簡単な説明】
【図１】本発明の一実施形態に係る、画像管理システムを示す模式図である。
【図２】図１のデータ取得部を詳細に示したブロック図である。
【図３】図１の認証サーバ及びユーザ端末を詳細に示したブロック図である。
【図４】認証データ記録部に記録された識別認証データ、簡易認証データ、及び簡易認証データによりアクセスが許可される被写体画像データ情報を示す模式図である。
【図５】図１の撮像装置を詳細に示したブロック図である。
【図６】画像管理システム１０におけるデータ取得部の一実施例を示す斜視図である。
【図７】図１のデータ取得部の他の例を示すブロック図である。
【図８】図１の認証サーバの他の例を示すブロック図である。
【符号の説明】
１０…画像管理システム、２０…撮像装置、３０…データ取得部、３２…画像データ取得部、３４…識別認証データ取得部、３６…簡易認証データ発行部、４０…画像データ記憶部、５０…認証サーバ、５２…データ書込部、５４…識別認証データ比較部、５６…照合部、５８…アクセス許可部、６０…読出部、７０…認証データ記録部、８０…ユーザ端末、８２…ユーザ情報入力部、８４…出力指示受付部、８６…表示部、９０…出力部、１００…入力部、１０２…制御部、１０４…被写体画像データ保持部、１０６…ユーザ画像データ保持部、１０８…操作部、１１０…表示部
【図１】
0004302910.tif 000002
【図２】
0004302910.tif 000003
【図３】
0004302910.tif 000004
【図４】
0004302910.tif 000005
【図５】
0004302910.tif 000006
【図６】
0004302910.tif 000007
【図７】
0004302910.tif 000008
【図８】
0004302910.tif 000009